(57)【要約】【課題】薄型化が可能な導光装置を提供する。【解決手段】導光装置３は、透光体５及び透光体６を備える。透光体６は、主傾斜部９及び副傾斜部１０を備える。主傾斜部９に、傾斜面１５及び傾斜面１６が形成される。主傾斜部９は、傾斜面１５及び傾斜面１６で反射した光を透光体５に入射させる。副傾斜部１０は、入射された光を傾斜面２０で反射させ、透光体５に入射させる。傾斜面２０は、主傾斜部９から離れるに従って表面７に近づく。【選択図】図２
2018098043.tif 000002
【特許請求の範囲】
【請求項１】
平坦な第１表面が形成された第１透光体と、
前記第１表面に設けられた第２透光体と、
を備え、
前記第２透光体は、
第１入光面から入射した光を反射させる第１傾斜面及び第２傾斜面が形成され、前記第１傾斜面及び前記第２傾斜面で反射した光を前記第１透光体に入射させる第１主傾斜部と、
前記第１主傾斜部の一側で且つ前記第１入光面側に配置され、第３傾斜面が形成された第１副傾斜部と、
を備え、
前記第１副傾斜部は、前記第１入光面から前記第１主傾斜部に入射した光のうち前記第１主傾斜部から前記第１透光体に入射しなかった光の一部が入射され、当該入射された光を前記第３傾斜面で反射させて前記第１透光体に入射させ、
前記第３傾斜面は、前記第１主傾斜部から離れるに従って前記第１表面に近づく導光装置。
【請求項２】
前記第２透光体は、前記第１入光面と前記第１表面に対向する下面とが形成された入光部を更に備え、
前記入光部の前記下面は、前記第１入光面に隣接し、前記第１主傾斜部に近づくに従って前記第１表面に近づく請求項１に記載の導光装置。
【請求項３】
前記入光部の前記下面と前記第１表面とのなす角は、１０°から２０°の範囲の何れかの角度である請求項２に記載の導光装置。
【請求項４】
前記入光部に、前記第１表面と同じ方向を向く平坦な上面が形成され、
前記第１主傾斜部に、前記入光部の前記上面と一続きであり且つ面一である平坦な上面が形成された請求項２又は請求項３に記載の導光装置。
【請求項５】
前記第１傾斜面は、前記第１表面が向く方向に凸である湾曲面であり、
前記第２傾斜面は、前記第１表面が向く方向に凸である湾曲面である請求項１から請求項４の何れか一項に記載の導光装置。
【請求項６】
前記第１表面に直交し且つ前記第１入光面に直交する断面における前記第１傾斜面と前記第１表面とのなす角は１０°から２０°の範囲の何れかの角度であり、
前記断面における前記第２傾斜面と前記第１表面とのなす角は、１０°から２０°の範囲の何れかの角度である請求項１から請求項５の何れか一項に記載の導光装置。
【請求項７】
前記第３傾斜面は、前記第１表面が向く方向に凸である湾曲面である請求項１から請求項６の何れか一項に記載の導光装置。
【請求項８】
前記第１副傾斜部の前記第１表面からの突出高さは、前記第１主傾斜部の前記第１表面からの突出高さより低く、
前記第３傾斜面と前記第１表面とのなす角は、１０°から３０°の範囲の何れかの角度である請求項１から請求項７の何れか一項に記載の導光装置。
【請求項９】
前記第２透光体は、前記第１主傾斜部の他側で且つ前記第１入光面側に配置され、第４傾斜面が形成された第２副傾斜部を備え、
前記第２副傾斜部は、前記第１入光面から前記第１主傾斜部に入射した光のうち前記第１主傾斜部から前記第１透光体に入射しなかった光の一部が入射され、当該入射された光を前記第４傾斜面で反射させて前記第１透光体に入射させ、
前記第４傾斜面は、前記第１主傾斜部から離れるに従って前記第１表面に近づく請求項１から請求項８の何れか一項に記載の導光装置。
【請求項１０】
前記第２透光体は、
第２入光面から入射した光を反射させる第５傾斜面及び第６傾斜面が形成され、前記第５傾斜面及び前記第６傾斜面で反射した光を前記第１透光体に入射させる第２主傾斜部と、
前記第１主傾斜部及び前記第２主傾斜部の間に設けられ、第７傾斜面が形成された第３副傾斜部と、
を備え、
前記第３副傾斜部は、前記第１入光面から前記第１主傾斜部に入射した光のうち前記第１主傾斜部から前記第１透光体に入射しなかった光の一部が入射され、当該入射された光を前記第７傾斜面で反射させて前記第１透光体に入射させ、
前記第３副傾斜部は、前記第２入光面から前記第２主傾斜部に入射した光のうち前記第２主傾斜部から前記第１透光体に入射しなかった光の一部が入射され、当該入射された光を前記第７傾斜面で反射させて前記第１透光体に入射させる請求項１から請求項８の何れか一項に記載の導光装置。
【請求項１１】
請求項１から請求項１０の何れか一項に記載の前記導光装置と、
前記第２透光体に対向する発光体と、
を備えた面光源装置。
【請求項１２】
前記第１透光体の内部を進む光を前記第１透光体の外に取り出すための手段を更に備え、
前記手段は、前記第１透光体の前記第１表面又は第２表面に設けられ、
前記第１表面及び前記第２表面は、互いに反対の方向を向く
請求項１１に記載の面光源装置。
【発明の詳細な説明】
【技術分野】
【０００１】
この発明は、導光装置及び面光源装置に関する。
【背景技術】
【０００２】
特許文献１に、光源からの光を板状の透光体に取り込む装置が記載されている。特許文献１に記載された装置は、光源からの光を板状の透光体に取り込むための光結合部材を備える。光源からの光は、光結合部材で全反射され、板状の透光体の内部に取り込まれる。
【先行技術文献】
【特許文献】
【０００３】
【特許文献１】特開２０１２−１８５２３４号公報
【発明の概要】
【発明が解決しようとする課題】
【０００４】
特許文献１に記載された装置では、透光体の表面に垂直な方向に向けて光源から光が照射される。光源からの光を透光体の内部に導くために、例えば光源の高さの４倍或いは５倍の高さを有する光結合部材が必要になる。このため、装置が大型化するといった問題があった。
【０００５】
この発明は、上述のような課題を解決するためになされた。この発明の目的は、薄型化が可能な導光装置を提供することである。また、この発明の他の目的は、薄型化が可能な面光源装置を提供することである。
【課題を解決するための手段】
【０００６】
この発明に係る導光装置は、平坦な第１表面が形成された第１透光体と、第１表面に設けられた第２透光体とを備える。第２透光体は、第１入光面から入射した光を反射させる第１傾斜面及び第２傾斜面が形成され、第１傾斜面及び第２傾斜面で反射した光を第１透光体に入射させる第１主傾斜部と、第１主傾斜部の一側で且つ第１入光面側に配置され、第３傾斜面が形成された第１副傾斜部とを備える。第１副傾斜部は、第１入光面から第１主傾斜部に入射した光のうち第１主傾斜部から第１透光体に入射しなかった光の一部が入射され、当該入射された光を第３傾斜面で反射させて第１透光体に入射させる。第３傾斜面は、第１主傾斜部から離れるに従って第１表面に近づく。
【０００７】
この発明に係る面光源装置は、上記導光装置と、第２透光体に対向する発光体とを備える。
【発明の効果】
【０００８】
この発明に係る導光装置は、第１透光体及び第２透光体を備える。第１透光体に、平坦な第１表面が形成される。第２透光体は、第１主傾斜部及び第１副傾斜部を備える。第１主傾斜部に、第１傾斜面及び第２傾斜面が形成される。第１主傾斜部は、第１傾斜面及び第２傾斜面で反射した光を第１透光体に入射させる。第１副傾斜部は、入射された光を第３傾斜面で反射させ、第１透光体に入射させる。第３傾斜面は、第１主傾斜部から離れるに従って第１表面に近づく。この発明に係る導光装置であれば、装置を薄型化できる。
【図面の簡単な説明】
【０００９】
【図１】この発明の実施の形態１における面光源装置の例を示す分解斜視図である。
【図２】透光体の例を示す図である。
【図３】発光体から発せられた光の経路の一例を示す図である。
【図４】発光体から発せられた光の経路の他の例を示す図である。
【図５】発光体から発せられた光の経路の他の例を示す図である。
【図６】発光体から発せられた光の経路の他の例を示す図である。
【図７】透光体の厚さと透光体への入光効率との相関を示す図である。
【図８】この発明の実施の形態１における面光源装置の他の例を示す斜視図である。
【図９】出射手段の一例を示す図である。
【図１０】出射手段の他の例を示す図である。
【図１１】出射手段の他の例を示す図である。
【図１２】出射手段の他の例を示す図である。
【図１３】出射手段の他の例を示す図である。
【図１４】この発明の実施の形態２における面光源装置の例を示す斜視図である。
【図１５】図１４に示す透光体の平面図である。
【図１６】図１５のＡ−Ａ断面を示す図である。
【図１７】この発明の実施の形態３における透光体の例を示す平面図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における面光源装置１の例を示す分解斜視図である。面光源装置１は、例えば発光体２、導光装置３及び固定部材４を備える。
【００１２】
発光体２は光を発する。発光体２は、例えばＬＥＤといった点状の光源を備える。発光体２は、導光装置３に対向するように配置される。発光体２から発せられた光は導光装置３に入射される。
【００１３】
固定部材４は、発光体２を導光装置３に固定する。固定部材４は、例えば発光体２を覆うように導光装置３に嵌められる。これにより、発光体２が導光装置３に固定される。
【００１４】
導光装置３は、発光体２から発せられた光を導くための装置である。導光装置３は、透明な樹脂或いはガラスから成形される。導光装置３の材料として、例えばメタクリル樹脂、アクリル樹脂、ポリカーボネート系樹脂、塩化ビニル系樹脂、シリコン樹脂及びチオウレタン系樹脂等を用いることができる。導光装置３は、例えば透光体５及び透光体６を備える。
【００１５】
透光体５は、例えば厚さが一定の板状である。透光体５は透明である。透光体５に表面７及び表面８が形成される。表面７は平坦である。表面８は平坦である。表面７及び表面８は、互いに反対の方向を向く。表面７及び表面８は、例えば互いに平行に形成される。発光体２は、例えば透光体５の表面７に載せられる。
【００１６】
透光体６は、透光体５の表面７に設けられる。透光体６は透明である。透光体６は表面７から突出する。透光体６は、透光体５と一体的に成形されても良い。発光体２は、透光体６に対向するように配置される。
【００１７】
理解を容易にするため、図１に示すようにｘ軸、ｙ軸及びｚ軸を設定する。ｘ軸、ｙ軸及びｚ軸は互いに直交する。ｘ軸に平行でｘの値が徐々に大きくなる方向を＋ｘ方向と表記する。ｘ軸の矢印は、ｘの値が大きくなる方向を示す。ｘ軸に平行でｘの値が徐々に小さくなる方向を−ｘ方向と表記する。ｘ軸方向は＋ｘ方向と−ｘ方向とを含む方向である。ｙ軸及びｚ軸についても同様である。＋ｘ方向及び−ｘ方向は、透光体５の表面７に沿う方向である。＋ｙ方向及び−ｙ方向は、透光体５の表面７に沿う方向である。＋ｚ方向及び−ｚ方向は、透光体５の表面７に直交する方向である。
【００１８】
図２は、透光体６の例を示す図である。以下の説明では、＋ｚ方向を上方向とする。図２（ａ）は、透光体６の平面図を示す。図２（ｂ）は、透光体６の側面図を示す。透光体６は、例えば主傾斜部９、副傾斜部１０、副傾斜部１１及び入光部１２を備える。
【００１９】
主傾斜部９は、透光体５に設けられる。主傾斜部９は、表面７から突出する。主傾斜部９は、例えば１つの円柱状の部材から成形することができる。例えば、１つの円柱状の部材を軸に沿って４分割する。４分割したうちの２つに更に加工を加えてそれらを貼り合わせることにより、主傾斜部９を成形することができる。
【００２０】
主傾斜部９に、例えば側面１３、側面１４、傾斜面１５、傾斜面１６、上面１７、側面１８及び下面１９が形成される。
【００２１】
側面１３は平坦である。側面１３は、ｙ軸方向及びｚ軸方向に沿うように形成される。例えば、側面１３は表面７に直交する。側面１４は平坦である。側面１４は、ｙ軸方向及びｚ軸方向に沿うように形成される。例えば、側面１４は表面７に直交する。側面１３及び側面１４は、互いに反対の方向を向く。側面１４は、例えば側面１３に平行である。図２に示す例では、側面１３は−ｘ方向を向く。側面１４は＋ｘ方向を向く。主傾斜部９が１つの円柱状の部材から成形される場合、側面１３及び側面１４は、円柱状の部材を４分割した時の切り口に相当する。
【００２２】
傾斜面１５は、主傾斜部９に形成された上向きの面の一部である。傾斜面１５は、側面１３の上端から＋ｘ方向に広がる。傾斜面１５は、側面１３に隣接する面の一つである。傾斜面１５は、表面７に対して斜めに形成される。傾斜面１５は、側面１４に近づくに従って表面７に近づく。傾斜面１５は、＋ｙ方向に向かうに従って表面７に近づく。例えば、傾斜面１５は、主傾斜部９の元となる円柱状の部材の外周面の一部に相当する。主傾斜部９が１つの円柱状の部材から成形される場合、傾斜面１５は、例えば＋ｚ方向に凸である湾曲面である。即ち、傾斜面１５は、表面７が向く方向に凸である湾曲面である。
【００２３】
傾斜面１６は、主傾斜部９に形成された上向きの面の一部である。傾斜面１６は、側面１４の上端から−ｘ方向に広がる。傾斜面１６は、側面１４に隣接する面の一つである。傾斜面１５及び傾斜面１６は、側面１３の上端の一部と側面１４の上端の一部との間に形成される。傾斜面１６は傾斜面１５に隣接する。傾斜面１６は、表面７に対して斜めに形成される。傾斜面１６は、側面１３に近づくに従って表面７に近づく。傾斜面１６は、＋ｙ方向に向かうに従って表面７に近づく。例えば、傾斜面１６は、主傾斜部９の元となる円柱状の部材の外周面の一部に相当する。主傾斜部９が１つの円柱状の部材から成形される場合、傾斜面１６は、例えば＋ｚ方向に凸である湾曲面である。即ち、傾斜面１６は、表面７が向く方向に凸である湾曲面である。
【００２４】
上面１７は平坦である。上面１７は、例えば表面７に平行である。図２に示す例では、上面１７は＋ｚ方向を向く。上面１７は、側面１３の上端の一部と側面１４の上端の一部との間に形成される。上面１７は、傾斜面１５及び傾斜面１６に隣接する。主傾斜部９が１つの円柱状の部材から成形される場合、上面１７は、４分割した部材を更に斜めに切断した時の切り口に相当する。
【００２５】
側面１８は平坦である。側面１８は、例えば表面７に直交する。側面１８は、例えば側面１３及び側面１４に直交する。側面１８は、例えば上面１７に直交する。図２に示す例では、側面１８は−ｙ方向を向く。側面１８は、側面１３及び側面１４に隣接する。側面１８は、上面１７に隣接する。
【００２６】
下面１９は平坦である。下面１９は、例えば上面１７に平行である。下面１９は、表面７に密着する。下面１９は、例えば側面１３及び側面１４に直交する。
【００２７】
副傾斜部１０は、主傾斜部９の側面１３に設けられる。また、副傾斜部１０は、透光体５に設けられる。副傾斜部１０は、表面７から突出する。副傾斜部１０は、主傾斜部９の一側で且つ入光部１２側に配置される。副傾斜部１０は、例えば、１つの円錐状の部材から成形することができる。例えば、１つの円錐状の部材を軸に沿って４分割することにより、副傾斜部１０を成形することができる。副傾斜部１０が１つの円錐状の部材から成形される場合、円錐状の部材を４分割した時の１つの切り口が主傾斜部９の側面１３に密着される。
【００２８】
副傾斜部１０に、例えば傾斜面２０、側面２１及び下面２２が形成される。
【００２９】
傾斜面２０は＋ｚ方向を向く表面である。傾斜面２０は、主傾斜部９の側面１３と側面１８との交線から扇状に広がるように形成される。傾斜面２０は、表面７に対して斜めである。傾斜面２０は、側面１３から離れるに従って表面７に近づく。即ち、傾斜面２０は、主傾斜部９から離れるに従って表面７に近づく。傾斜面２０は、＋ｙ方向に向かうに従って表面７に近づく。例えば、傾斜面２０は、副傾斜部１０の元となる円錐状の部材の側面の一部に相当する。副傾斜部１０が１つの円錐状の部材から成形される場合、傾斜面２０は、例えば＋ｚ方向に凸である湾曲面である。即ち、傾斜面２０は、表面７が向く方向に凸である湾曲面である。
【００３０】
図２に示す例では、副傾斜部１０の表面７からの突出高さは、主傾斜部９の表面７からの突出高さより低い。このため、副傾斜部１０と主傾斜部９との境界に段差が形成される。傾斜面２０の上方に、側面１３の一部が配置される。
【００３１】
側面２１は平坦である。側面２１は、例えば表面７に直交する。側面２１は、例えば側面１３に直交する。図２に示す例では、側面２１は−ｙ方向を向く。側面２１は、主傾斜部９の側面１８と一続きであり且つ面一となるように形成される。
【００３２】
下面２２は平坦である。下面２２は、表面７に密着する。下面２２は、主傾斜部９の下面１９と一続きであり且つ面一となるように形成される。下面２２は、例えば側面２１に直交する。例えば、下面２２は、副傾斜部１０の元となる円錐状の部材の下面の一部に相当する。
【００３３】
図２に示す例では、透光体６は、表面７に直交し且つ傾斜面１５及び傾斜面１６の交線を含む平面に対して対称の形状である。このため、副傾斜部１１の形状は、副傾斜部１０の形状と同様である。
【００３４】
副傾斜部１１は、主傾斜部９の側面１４に設けられる。また、副傾斜部１１は、透光体５に設けられる。副傾斜部１１は、表面７から突出する。副傾斜部１１は、主傾斜部９の他側で且つ入光部１２側に配置される。副傾斜部１１は、副傾斜部１０と同様に、例えば１つの円錐状の部材から成形することができる。副傾斜部１０及び副傾斜部１１の双方を１つの円錐状の部材から成形しても良い。副傾斜部１１が１つの円錐状の部材から成形される場合、円錐状の部材を４分割した時の１つの切り口が主傾斜部９の側面１４に密着される。
【００３５】
副傾斜部１１に、例えば傾斜面２３、側面２４及び下面２５が形成される。
【００３６】
傾斜面２３は、＋ｚ方向を向く表面である。傾斜面２３は、主傾斜部９の側面１４と側面１８との交線から扇状に広がるように形成される。傾斜面２３は、表面７に対して斜めである。傾斜面２３は、側面１４から離れるに従って表面７に近づく。即ち、傾斜面２３は、主傾斜部９から離れるに従って表面７に近づく。傾斜面２３は、＋ｙ方向に向かうに従って表面７に近づく。例えば、傾斜面２３は、副傾斜部１１の元となる円錐状の部材の側面の一部に相当する。副傾斜部１１が１つの円錐状の部材から成形される場合、傾斜面２３は、例えば＋ｚ方向に凸である湾曲面である。即ち、傾斜面２３は、表面７が向く方向に凸である湾曲面である。
【００３７】
図２に示す例では、副傾斜部１１の表面７からの突出高さは、主傾斜部９の表面７からの突出高さより低い。例えば、副傾斜部１１の表面７からの突出高さは、副傾斜部１０の表面７からの突出高さと同じである。副傾斜部１１と主傾斜部９との境界に段差が形成される。傾斜面２３の上方に、側面１４の一部が配置される。
【００３８】
側面２４は平坦である。側面２４は、例えば表面７に直交する。側面２４は、例えば側面１４に直交する。図２に示す例では、側面２４は−ｙ方向を向く。側面２４は、主傾斜部９の側面１８と一続きであり且つ面一となるように形成される。
【００３９】
下面２５は平坦である。下面２５は、表面７に密着する。下面２５は、主傾斜部９の下面１９と一続きであり且つ面一となるように形成される。下面２５は、例えば側面２４に直交する。例えば、下面２５は、副傾斜部１１の元となる円錐状の部材の下面の一部に相当する。
【００４０】
入光部１２は、主傾斜部９の側面１８に設けられる。入光部１２は、側面１８から突出する。入光部１２は、例えば、１つの直方体状の部材から成形することができる。例えば、１つの直方体状の部材の一面を斜めにすることにより、入光部１２を成形することができる。
【００４１】
入光部１２に、例えば側面２６、側面２７、上面２８、入光面２９、下面３０が形成される。
【００４２】
側面２６は平坦である。側面２６は、例えば表面７に対して垂直である。側面２６は、例えば主傾斜部９の側面１８に直交する。図２に示す例では、側面２６は−ｘ方向を向く。側面２７は平坦である。側面２７は、例えば表面７に対して垂直である。側面２７は、例えば主傾斜部９の側面１８に直交する。図２に示す例では、側面２７は＋ｘ方向を向く。側面２６及び側面２７は、互いに反対の方向を向く。例えば、側面２７は側面２６に平行である。
【００４３】
上面２８は平坦である。上面２８は、例えば表面７に平行である。図２に示す例では、上面２８は＋ｚ方向を向く。即ち、上面２８は、表面７と同じ方向を向く。上面２８は、主傾斜部９の上面１７と一続きであり且つ面一となるように形成される。上面２８は、側面２６及び側面２７に隣接する。
【００４４】
入光面２９は平坦である。入光面２９は、例えば表面７に対して垂直である。入光面２９は、例えば側面２６、側面２７及び上面２８に直交する。図２に示す例では、入光面２９は−ｙ方向を向く。即ち、入光面２９はｙ軸に直交する。
【００４５】
入光面２９は、発光体２から発せられた光を受ける面である。発光体２は、入光面２９に対向するように配置される。発光体２から発せられた光は、入光面２９から透光体６の入光部１２に入射する。例えば、ｙ軸に平行に進む光が入光面２９から入光部１２に入射すると、その光は、入光部１２を通過した後に、主傾斜部９の側面１３、側面１４及び上面１７に当たる前に傾斜面１５或いは傾斜面１６に当たる。
【００４６】
下面３０は平坦である。下面３０は、例えば表面７に対して斜めに形成される。下面３０は、表面７に斜めに対向する。下面３０は、＋ｙ方向に向かうに従って表面７に近づく。即ち、下面３０は、主傾斜部９に近づくに従って表面７に近づく。下面３０は、例えば側面２６及び側面２７に隣接する。また、下面３０は、入光面２９に隣接する。
【００４７】
以下に、発光体２として３ｍｍ角のＬＥＤが用いられる時の好適な透光体６の寸法例を示す。ＬＥＤの取付誤差を考慮し、入光面２９は３．６ｍｍ角であることが好ましい。即ち、入光面２９のｘ軸方向の幅Ｗ１は３．６ｍｍである。主傾斜部９のｘ軸方向の幅Ｗ２は６ｍｍから１０ｍｍの範囲に入ることが好ましい。透光体６のｘ軸方向の幅Ｗ３は１６ｍｍから２６ｍｍの範囲に入ることが好ましい。
【００４８】
入光部１２の下面３０と透光体５の表面７とのなす角θ１は、１０°から２０°の範囲に入ることが好ましい。ｙｚ平面における主傾斜部９の傾斜面１５と透光体５の表面７とのなす角θ３は、１０°から２０°の範囲に入ることが好ましい。同様に、ｙｚ断面における主傾斜部９の傾斜面１６と透光体５の表面７とのなす角θ３は、１０°から２０°の範囲に入ることが好ましい。ｙｚ断面は、表面７に直交し且つ側面１８及び入光面２９に直交する断面である。
【００４９】
副傾斜部１０に関しては、傾斜面２０と表面７とのなす角が１０°から３０°の範囲に入ることが好ましい。例えば、主傾斜部９の側面１３と側面１８との交線を含み且つ表面７に直交する断面において、傾斜面２０と表面７とのなす角θ２が１０°から３０°の範囲に入ることが好ましい。上記断面には、側面１３を含む面が含まれる。副傾斜部１１に関しても同様である。傾斜面２３と表面７とのなす角は、１０°から３０°の範囲に入ることが好ましい。例えば、主傾斜部９の側面１４と側面１８との交線を含み且つ表面７に直交する断面において、傾斜面２３と表面７とのなす角θ２は、１０°から３０°の範囲に入ることが好ましい。上記断面には、側面１４を含む面が含まれる。
【００５０】
入光部１２のｙ軸方向の長さＬ１と主傾斜部９の上面１７のｙ軸方向の長さＬ２との和は、３ｍｍから５ｍｍの範囲に入ることが好ましい。以上の寸法が決定すれば、主傾斜部９のｙ軸方向の長さＬ３は必然的に決定される。
【００５１】
次に、図３から図６も参照し、発光体２から発せられた光が導光装置３内をどのように伝搬するのかについて説明する。図３は、発光体２から発せられた光の経路の一例を示す図である。図３から図６において、（ａ）は面光源装置１の平面図を示す。図３から図６において、（ｂ）は面光源装置１の側面図を示す。図３から図６では固定部材４を図示していない。図３（ａ）に示す矢印と図３（ｂ）に示す矢印とは、同じ光の経路を示す。
【００５２】
図３は、発光体２の端から発せられた光の経路を示す。図３に示す例では、発光体２から発せられた光のうち、＋ｘ方向、＋ｙ方向且つ＋ｚ方向に進む光の経路を示す。発光体２から発せられた光は、ｙ１の位置で入光面２９から入光部１２に入射する。入光部１２に入射した光は、入光部１２を伝搬し、ｙ２の位置で入光部１２の上面２８に達する。上面２８に達した光は、上面２８で全反射される。上面２８で反射された光は、主傾斜部９及び透光体５を伝搬し、ｙ３の位置で透光体５の表面８に達する。この光は、ｙ２の位置からｙ３の位置に進む間に、傾斜面１５及び傾斜面１６の交線の下方を通過する。表面８に達した光は、表面８で全反射される。ｙ３の位置での表面８に対する入射角は、ｙ２の位置での上面２８に対する入射角に等しい。
【００５３】
表面８で反射された光は、透光体５及び主傾斜部９を伝搬し、ｙ４の位置で主傾斜部９の傾斜面１６に達する。傾斜面１６に達した光は、傾斜面１６で全反射される。発光体２から発せられた光が初めて傾斜面１６に達した場合、その光が図３（ａ）において傾斜面１５及び傾斜面１６の交線に平行に進む光或いは交線から離れるように進む光であれば、その光は傾斜面１６で全反射される。傾斜面１６で全反射された光は、＋ｘ方向に曲げられる。
【００５４】
傾斜面１６で全反射された光は、主傾斜部９及び透光体５を伝搬し、ｙ５の位置で透光体５の表面８に再び達する。表面８に達した光は、表面８で全反射される。光が２回目に表面８に達した時の入射角は、１回目に表面８に達した時の入射角より小さい。表面８で全反射された光は、透光体５を伝搬し、ｙ６の位置で透光体５の表面７に達する。表面７に達した光は、表面７で全反射される。表面７で反射された光は、その後に表面８及び表面７で全反射を繰り返し、透光体５を伝搬する。
【００５５】
図４は、発光体２から発せられた光の経路の他の例を示す図である。図４（ａ）に示す矢印と図４（ｂ）に示す矢印とは、同じ光の経路を示す。
【００５６】
図４は、発光体２の端から発せられた光の経路を示す。図４に示す例では、発光体２から発せられた光のうち、＋ｘ方向、＋ｙ方向且つｚ軸に垂直に進む光の経路を示す。発光体２から発せられた光は、ｙ１の位置で入光面２９から入光部１２に入射する。入光部１２に入射した光は、入光部１２及び主傾斜部９を伝搬し、ｙ９の位置で主傾斜部９の傾斜面１６に達する。この光は、ｙ１の位置からｙ９の位置に進む間に、傾斜面１５及び傾斜面１６の交線の下方を通過する。傾斜面１６に達した光は、傾斜面１６で全反射される。傾斜面１６で全反射された光は、＋ｘ方向に曲げられる。
【００５７】
傾斜面１６で全反射された光は、主傾斜部９を伝搬し、ｙ１０の位置で側面１４に達する。側面１４に達した光は、側面１４で全反射される。側面１４で全反射された光は、−ｘ方向に曲げられる。側面１４で反射された光は、主傾斜部９及び透光体５を伝搬し、ｙ１１の位置で透光体５の表面８に達する。表面８に達した光は、表面８で全反射される。表面８で全反射された光は、透光体５を伝搬し、透光体５の表面７に達する。表面７に達した光は、表面７で全反射される。表面７で反射された光は、その後に表面８及び表面７で全反射を繰り返し、透光体５を伝搬する。
【００５８】
図５は、発光体２から発せられた光の経路の他の例を示す図である。図５（ａ）に示す矢印と図５（ｂ）に示す矢印とは、同じ光の経路を示す。
【００５９】
図５は、発光体２の端から発せられた光の経路を示す。図５に示す例では、発光体２から発せられた光のうち、＋ｘ方向、＋ｙ方向且つ−ｚ方向に進む光の経路を示す。発光体２から発せられた光は、ｙ１の位置で入光面２９から入光部１２に入射する。入光部１２に入射した光は、入光部１２、主傾斜部９及び透光体５を伝搬し、ｙ１３の位置で透光体５の表面８に達する。この光は、ｙ１の位置からｙ１３の位置に進む間に、傾斜面１５及び傾斜面１６の交線の下方を通過する。表面８に達した光は、表面８で全反射される。
【００６０】
表面８で全反射された光は、透光体５及び主傾斜部９を伝搬し、ｙ１４の位置で傾斜面１６に達する。傾斜面１６に達した光は、傾斜面１６で全反射される。傾斜面１６で全反射された光は、＋ｘ方向に曲げられる。傾斜面１６で全反射された光は、主傾斜部９及び透光体５を伝搬し、ｙ１５の位置で透光体５の表面８に達する。表面８に達した光は、表面８で全反射される。表面８で全反射された光は、透光体５を伝搬し、ｙ１６の位置で透光体５の表面７に達する。表面７に達した光は、表面７で全反射される。表面７で反射された光は、その後に表面８及び表面７で全反射を繰り返し、透光体５を伝搬する。
【００６１】
本実施の形態に示す例では、発光体２の端から発せられた光の一部は、傾斜面１６で全反射することによって透光体５に導かれる。発光体２の中心寄りの位置から発せられた光についても同様に、その一部は傾斜面１６で全反射することによって透光体５に導かれる。図３から図５は、発光体２の−ｘ方向の端から発せられた光の経路を示す。発光体２の＋ｘ方向の端から発せられた光の一部は、上述した例に類似し、傾斜面１５で全反射することによって透光体５に導かれる。発光体２の中心寄りの位置から発せられた光についても同様に、その一部は傾斜面１５で全反射することによって透光体５に導かれる。即ち、入光面２９から主傾斜部９に入射した光の一部は、傾斜面１５及び傾斜面１６で反射される。傾斜面１５及び傾斜面１６で反射した光は、透光体５に入射される。
【００６２】
本実施の形態に示す例では、発光体２からの光は入光面２９から透光体６に入射する。入光面２９は、透光体５の表面７に対して垂直である。このため、透光体６の表面７からの突出高さを低くすることができる。例えば、透光体６の表面７からの突出高さは、発光体２の表面７からの突出高さと同じであっても良い。本実施の形態に示す例であれば、導光装置３を薄型化することができる。また、面光源装置１を薄型化することができる。
【００６３】
傾斜面１６で全反射された光が再び傾斜面１６に達すると、光が２回目に傾斜面１６に達した時の入射角は、１回目に傾斜面１６に達した時の入射角より小さくなる。このため、光が傾斜面１６で反射する回数は１回のみであることが好ましい。同様に、光が傾斜面１５で反射する回数は１回のみであることが好ましい。
【００６４】
例えば、角θ３が１０°より小さいと傾斜面１６に複数回当たる光が増加する。透光体６の寸法が上述した好適な寸法例に該当していれば、傾斜面１６に複数回当たる光を抑制することができる。なお、角θ３が２０°より大きいと傾斜面１６を透過する光が増加する。このため、角θ３は２０°以下であることが好ましい。傾斜面１５についても同様である。
【００６５】
図６は、発光体２から発せられた光の経路の他の例を示す図である。図６（ａ）に示す矢印と図６（ｂ）に示す矢印とは、同じ光の経路を示す。図３から図５に示す例では、発光体２の端から発せられた光のうち、傾斜面１５及び傾斜面１６の交線の下方を通過した後に傾斜面１６に達する光の経路を示した。図６は、発光体２の端から発せられた光のうち、傾斜面１６に当たらずに副傾斜部１１に進入する光の経路を示す。
【００６６】
図６に示す例では、発光体２から発せられた光のうち、＋ｘ方向、＋ｙ方向且つｚ軸に垂直に進む光の経路を示す。発光体２から発せられた光は、ｙ１の位置で入光面２９から入光部１２に入射する。入光部１２に入射した光は、入光部１２、主傾斜部９及び副傾斜部１１を伝搬し、ｙ１９の位置で副傾斜部１１の傾斜面２３に達する。傾斜面２３に達した光は、傾斜面２３で全反射される。
【００６７】
傾斜面２３で全反射された光は、副傾斜部１１及び透光体５を伝搬し、ｙ２０の位置で透光体５の表面８に達する。表面８に達した光は、表面８で全反射される。表面８で全反射された光は、透光体５を伝搬し、ｙ２１の位置で透光体５の表面７に達する。表面７に達した光は、表面７で全反射される。表面７で反射された光は、その後に表面８及び表面７で全反射を繰り返し、透光体５を伝搬する。
【００６８】
本実施の形態に示す例では、発光体２の端から発せられた光の一部は、傾斜面２３で全反射することによって透光体５に導かれる。発光体２の中心寄りの位置から発せられた光についても同様に、その一部は傾斜面２３で全反射することによって透光体５に導かれる。図６は、発光体２の−ｘ方向の端から発せられた光の経路を示す。発光体２の＋ｘ方向の端から発せられた光の一部は、上述した例に類似し、傾斜面２０で全反射することによって透光体５に導かれる。発光体２の中心寄りの位置から発せられた光についても同様に、その一部は傾斜面２０で全反射することによって透光体５に導かれる。即ち、入光面２９から主傾斜部９に入射した光のうち、主傾斜部９から透光体５に直接入射しなかった光の一部は副傾斜部１１に入射する。副傾斜部１１は、当該入射した光を傾斜面２３で反射させて透光体５に入射させる。同様に、入光面２９から主傾斜部９に入射した光のうち、主傾斜部９から透光体５に直接入射しなかった光の一部は副傾斜部１０に入射する。副傾斜部１０は、当該入射した光を傾斜面２０で反射させて透光体５に入射させる。
【００６９】
傾斜面２３で全反射された光が再び傾斜面２３に達すると、光が２回目に傾斜面２３に達した時の入射角は、１回目に傾斜面２３に達した時の入射角より小さくなる。このため、光が傾斜面２３で反射する回数は１回のみであることが好ましい。同様に、光が傾斜面２０で反射する回数は１回のみであることが好ましい。
【００７０】
例えば、角θ２が１０°より小さいと傾斜面２３に複数回当たる光が増加する。透光体６の寸法が上述した好適な寸法例に該当していれば、傾斜面２３に複数回当たる光を抑制することができる。なお、角θ２が３０°より大きいと傾斜面２３を透過する光が増加する。このため、角θ２は３０°以下であることが好ましい。なお、角θ２の上限値を角θ３の上限値より大きくできるのは、副傾斜部１１の表面７からの突出高さを主傾斜部９の表面７からの突出高さより低くしているためである。この高さの違いによって副傾斜部１１に入射する光が限定されるため、角θ２の上限値を角θ３の上限値より大きくできる。傾斜面２０についても同様である。
【００７１】
図７は、透光体５の厚さと透光体５への入光効率との相関を示す図である。図７に示す入光効率の算出条件は以下の通りである。
・発光体２として３ｍｍ角のＬＥＤを用いる。
・透光体６は、上述した好適な寸法例に該当するある寸法を有する。
・透光体５の屈折率と透光体６の屈折率とは同じである。
【００７２】
屈折率が１．４９である材料として、例えばアクリル樹脂が挙げられる。屈折率が１．５９である材料として、例えばポリカーボネート系樹脂が挙げられる。屈折率が１．７４である材料として、例えばチオウレタン系樹脂が挙げられる。
【００７３】
透光体５の厚さが同じであれば、材料の屈折率が高いほど入光効率は高くなる。即ち、材料の屈折率が高いほどより多くの光を透光体５に取り込むことができる。また、どの屈折率の材料を用いても、透光体５の厚さが厚いほど入光効率は高くなる。例えば、透光体５及び透光体６の屈折率が１．４９であれば、透光体５の厚さを５ｍｍ以上にすれば、光源光量の９０％以上を透光体５に入射させることができる。同様に、透光体５及び透光体６の屈折率が１．５９であれば、透光体５の厚さを４ｍｍ以上にすれば、光源光量の９０％以上を透光体５に入射させることができる。透光体５及び透光体６の屈折率が１．７４であれば、透光体５の厚さを２．５ｍｍ以上にすれば、光源光量の９０％以上を透光体５に入射させることができる。
【００７４】
本実施の形態に示す例では、発光体２の端から発せられた光の一部を傾斜面２０及び傾斜面２３で全反射させることによって透光体５に導く。このため、透光体５への入光効率を高めることができる。導光装置３が副傾斜部１０を備え、副傾斜部１１を備えていなくても一定の効果は期待できる。同様に、導光装置３が副傾斜部１１を備え、副傾斜部１０を備えていなくても一定の効果は期待できる。
【００７５】
本実施の形態に示す例では、入光部１２の下面３０が＋ｙ方向に向かうに従って表面７に近づくように形成される。発光体２からの光のうち−ｚ方向に大きく広がる光は、下面３０で全反射することによってｙ軸に平行な光に近づく。このため、透光体５への入光効率を更に高めることができる。
【００７６】
例えば、角θ１が１０°より小さいと傾斜面１５及び傾斜面１６を透過する光が増加する。透光体６の寸法が上述した好適な寸法例に該当していれば、より多くの光を傾斜面１５及び傾斜面１６で反射させることができる。なお、角θ１が２０°より大きいと下面３０に十分な光が当たらない。このため、角θ１は２０°以下であることが好ましい。
【００７７】
本実施の形態に示す例では、入光部１２の上面２８と主傾斜部９の上面１７とが面一に形成される。透光体６は、発光体２からの光のうち＋ｚ方向に大きく広がる光が上面２８或いは上面１７で全反射し、その後に傾斜面１５及び傾斜面１６に直接当たらない構造になっている。このため、透光体５への入光効率を更に高めることができる。
【００７８】
本実施の形態に示す例では、透光体６が入光部１２を備える。入光部１２のｘ軸方向の幅Ｗ１は、主傾斜部９のｘ軸方向の幅Ｗ２より小さい。発光体２からの光のうち＋ｘ方向に大きく広がる光は、側面２７で全反射し、−ｘ方向に曲げられる。側面２７で反射した光の一部を、傾斜面１５及び傾斜面１６の交線の下方を通過させた後に傾斜面１５に当てることができる。同様に、発光体２からの光のうち−ｘ方向に大きく広がる光は、側面２６で全反射し、＋ｘ方向に曲げられる。側面２６で反射した光の一部を、傾斜面１５及び傾斜面１６の交線の下方を通過させた後に傾斜面１６に当てることができる。このため、透光体５への入光効率を更に高めることができる。
【００７９】
なお、透光体６が入光部１２を備えていない場合は、主傾斜部９の側面１８を入光面とすれば良い。何れの場合も、副傾斜部１０は、主傾斜部９の一側で且つ入光面側に配置される。副傾斜部１１は、主傾斜部９の他側で且つ入光面側に配置される。
【００８０】
図８は、この発明の実施の形態１における面光源装置１の他の例を示す斜視図である。図１に示す例では、透光体５の内部を進む光は透光体５の端面から出射される。図８に示す面光源装置１は、透光体５の内部を進む光を透光体５の外に取り出すための出射手段３１を備える。出射手段３１は、透光体５の表面７或いは表面８に設けられる。
【００８１】
図９は、出射手段３１の一例を示す図である。図９に示す例では、面光源装置１は、出射手段３１として多数の椀状体３２を備える。椀状体３２は透明である。例えば、椀状体３２の屈折率は透光体５の屈折率と同じである。椀状体３２は、例えば透光体５の表面７に設けられる。椀状体３２に、例えば下面３３、上面３４及び外周面３５が形成される。下面３３は平坦であり、円形である。上面３４は平坦であり、下面３３より大きな円形である。椀状体３２は、下面３３から上面３４に近づくに従って径が大きくなる。外周面３５は、外側に凸である湾曲面である。椀状体３２は、例えば下面３３が表面７に密着するように透光体５に設けられる。
【００８２】
透光体５を伝搬する光は、図９に示すように、下面３３から椀状体３２に入射する。透光体５から椀状体３２に入射した光は、外周面３５で全反射し、上面３４から出射される。これにより、透光体５を伝搬する光を表面７から取り出すことができる。椀状体３２が透光体５の表面８に設けられていれば、透光体５を伝搬する光を表面８から取り出すことができる。図９に示す椀状体３２は、例えば光硬化性を有するアクリル樹脂を用いることにより、３次元プリント技術によって透光体５に設けられる。他の方法によって椀状体３２を透光体５に設けても良い。
【００８３】
図１０は、出射手段３１の他の例を示す図である。図１０に示す例では、面光源装置１は、出射手段３１として支持板３６及び多数の椀状体３２を備える。支持板３６は、一定の厚みを有する透明な板である。例えば、支持板３６の屈折率は透光体５の屈折率と同じである。椀状体３２は、上面３４が支持板３６の一方の表面３７に密着するように支持板３６に設けられる。椀状体３２は、下面３３が表面７に密着するように透光体５に設けられる。
【００８４】
透光体５を伝搬する光は、図９に示す例と同様に、下面３３から椀状体３２に入射する。透光体５から椀状体３２に入射した光は、外周面３５で全反射し、上面３４から支持板３６に入射する。椀状体３２から支持板３６に入射した光は、支持板３６を伝搬し、支持板３６の表面３８から出射される。表面３７及び表面３８は、互いに反対の方向を向く。これにより、透光体５を伝搬する光を表面７から取り出すことができる。図１０に示す出射手段３１が透光体５の表面８に設けられていれば、透光体５を伝搬する光を表面８から取り出すことができる。図１０に示す出射手段３１は、例えば射出成形或いはプレス成形によって一体成形される。一体成形された部材は、例えば接着材を用いて透光体５の表面７に固定される。
【００８５】
図１１及び図１２は、出射手段３１の他の例を示す図である。図１１及び図１２は、透光体５の表面８に凹凸加工が施されることによって出射手段３１が形成される例を示す。図１１は、表面８に半球形状の凸部３９が形成される例を示す。図１２は、表面８に三角形状の凸部３９が形成される例を示す。凸部３９は表面８から突出する。凸部３９の形状は、図１１及び図１２に示す例に限定されない。
【００８６】
透光体５を伝搬する光は、図１１及び図１２に示すように、凸部３９の表面に入射する角度によって反射したり透過したりする。透光体５を伝搬する光が凸部３９の表面を透過することにより、光を表面８から取り出すことができる。凸部３９の表面で反射した光は、例えば表面７から出射される。これにより、透光体５を伝搬する光を表面７から取り出すことができる。図１１及び図１２に示す例であれば、透光体５を伝搬する光を表面７及び表面８の双方から取り出すことができる。表面７或いは表面８に凸部３９を形成するために、ビーズ等が埋め込まれた拡散シートを透光体５に貼り付けても良い。
【００８７】
図１３は、出射手段３１の他の例を示す図である。図１３は、透光体５の表面８にホワイト印刷処理が施されることによって出射手段３１が形成される例を示す。即ち、透光体５の表面８にホワイト印刷層４０が設けられる。ホワイト印刷の材料として、例えば硫酸バリウム或いは酸化チタンが用いられる。
【００８８】
透光体５を伝搬する光は、図１３に示すように、ホワイト印刷層４０で拡散反射する。このため、ホワイト印刷層４０で反射した光の一部は、表面７から出射される。図１３に示す例であれば、透光体５を伝搬する光を表面７から取り出すことができる。
【００８９】
面光源装置１が出射手段３１を備えることにより、表面７及び表面８の任意の位置から光を取り出すことができる。出射手段３１は、粘着材等を用いることにより、透光体５に着脱可能であっても良い。
【００９０】
透光体５の表面７或いは表面８に出射手段３１を備える場合は、透光体５の４つの端面を反射面にすることが好ましい。透光体５の端面を反射面にすることにより、出射手段３１を介して透光体５を伝搬する光を効率的に透光体５の外に取り出すことができる。
【００９１】
本実施の形態では、主傾斜部９を１つの円柱状の部材から成形する例について詳しく説明した。主傾斜部９の形状はこの例に限定されない。主傾斜部９に関しては、傾斜面１５が、側面１４に近づくに従って表面７に近づき、＋ｙ方向に向かうに従って表面７に近づけば良い。同様に、傾斜面１６が、側面１３に近づくに従って表面７に近づき、＋ｙ方向に向かうに従って表面７に近づけば良い。主傾斜部９の元となる部材の断面は、楕円形でも非対称な形でも良い。例えば、傾斜面１５は平面状でも良い。傾斜面１５は、複数の平面によって形成されても良い。同様に、傾斜面１６は平面状でも良い。傾斜面１６は、複数の平面によって形成されても良い。
【００９２】
本実施の形態では、副傾斜部１０を１つの円錐状の部材から成形する例について詳しく説明した。同様に、副傾斜部１１を１つの円錐状の部材から成形する例について詳しく説明した。副傾斜部１０の形状及び副傾斜部１１の形状はこれらの例に限定されない。副傾斜部１０に関しては、傾斜面２０が、側面１３から離れるに従って表面７に近づき、＋ｙ方向に向かうに従って表面７に近づけば良い。同様に、副傾斜部１１に関しては、傾斜面２３が、側面１４から離れるに従って表面７に近づき、＋ｙ方向に向かうに従って表面７に近づけば良い。例えば、傾斜面２０は平面状でも良い。傾斜面２０は、複数の平面によって形成されても良い。同様に、傾斜面２３は平面状でも良い。傾斜面２３は、複数の平面によって形成されても良い。
【００９３】
本実施の形態に示す例では、面光源装置１が固定部材４を備える。発光体２を導光装置３に接着等によって固定することができれば、面光源装置１は固定部材４を備えなくても良い。面光源装置１が固定部材４を備える場合、固定部材４のうち導光装置３に接触する部分の表面は反射面であることが好ましい。固定部材４は、導光装置３と点接触するための突起を備えても良い。また、固定部材４は、発光体２と透光体６との隙間を外側から覆うように配置されることが好ましい。かかる場合、固定部材４のうち上記隙間を覆う部分の内面は反射面であることが好ましい。
【００９４】
実施の形態２．
図１４は、この発明の実施の形態２における面光源装置１の例を示す斜視図である。本実施の形態に示す例では、面光源装置１は複数の発光体２を備える。また、面光源装置１は導光装置３を備える。各発光体２は、導光装置３に対向するように配置される。各発光体２から発せられた光は導光装置３に入射される。
【００９５】
本実施の形態に示す例では、面光源装置１は、必要に応じて複数の固定部材４（図１４では図示せず）を備える。例えば、固定部材４は、発光体２の数と同じ数だけ面光源装置１に備えられる。１つの固定部材４によって１つの発光体２が導光装置３に固定される。
【００９６】
導光装置３は、例えば透光体５及び透光体６を備える。透光体５は、例えば厚さが一定の板状である。透光体５は透明である。透光体５に表面７及び表面８が形成される。表面７は平坦である。表面８は平坦である。表面７及び表面８は、互いに反対の方向を向く。表面７及び表面８は、例えば互いに平行に形成される。
【００９７】
透光体６は、透光体５の表面７に設けられる。透光体６は透明である。透光体６は表面７から突出する。透光体６は、透光体５と一体的に成形されても良い。本実施の形態に示す例では、透光体６は、複数の対向部４１、副傾斜部１０、副傾斜部１１及び複数の副傾斜部４２を備える。
【００９８】
各発光体２は、例えば透光体５の表面７に、ｘ軸方向に等間隔に載せられる。各発光体２は、＋ｙ方向を向く。対向部４１は、発光体２の数と同じ数だけ透光体６に備えられる。各対向部４１は、実施の形態１で開示した透光体６から副傾斜部１０及び副傾斜部１１を除いたものに相当する。即ち、各対向部４１は、主傾斜部９及び入光部１２を備える。発光体２は、対向部４１の入光面２９に対向するように配置される。発光体２から発せられた光は、その発光体２に対向する対向部４１の入光部１２に入射する。
【００９９】
対向部４１は、例えばｘ軸方向に等間隔に配置される。副傾斜部４２は、隣接する対向部４１を繋ぐように設けられる。ｎ個の対向部４１が備えられていれば、（ｎ−１）個の副傾斜部４２が透光体６に備えられる。一方の端に配置された対向部４１の側面１３に、副傾斜部１０が設けられる。副傾斜部１０が設けられる側面１３は、隣接する対向部４１の側面１４に対向しない。他方の端に配置された対向部４１の側面１４に、副傾斜部１１が設けられる。副傾斜部１１が設けられる側面１４は、隣接する対向部４１の側面１３に対向しない。
【０１００】
図１５は、図１４に示す透光体６の平面図である。図１６は、図１５のＡ−Ａ断面を示す図である。副傾斜部４２は、隣接する一方の主傾斜部９の側面１３と隣接する他方の主傾斜部９の側面１４との間に設けられる。また、副傾斜部４２は、透光体５に設けられる。副傾斜部４２は、表面７から突出する。図１４に示す例では、副傾斜部４２のｙｚ断面は台形である。
【０１０１】
副傾斜部４２に、例えば傾斜面４３、上面４４、側面４５及び下面４６が形成される。
【０１０２】
傾斜面４３は平坦である。傾斜面４３は、表面７に対して斜めである。傾斜面４３は、＋ｙ方向に向かうに従って表面７に近づく。傾斜面４３は、互いに対向する側面１３及び側面１４の間に形成される。
【０１０３】
上面４４は平坦である。上面４４は、例えば表面７に平行である。図１４から図１６に示す例では、上面４４は＋ｚ方向を向く。上面４４は傾斜面４３に隣接する。上面４４は、互いに対向する側面１３及び側面１４の間に形成される。
【０１０４】
側面４５は平坦である。側面４５は、例えば表面７に直交する。側面４５は、例えば側面１３及び側面１４に直交する。側面４５は、例えば上面４４に直交する。図１４から図１６に示す例では、側面４５は−ｙ方向を向く。側面４５は、例えば、隣接する一方の主傾斜部９の側面１８及び隣接する他方の主傾斜部９の側面１８と一続きであり且つ面一となるように形成される。
【０１０５】
下面４６は平坦である。下面４６は、表面７に密着する。下面４６は、側面１３及び側面１４に直交する。下面４６は、例えば上面４４に平行である。
【０１０６】
２つの対向部４１を繋ぐ副傾斜部４２には、一方の対向部４１において入光面２９から主傾斜部９に入射した光のうち、主傾斜部９から透光体５に直接入射しなかった光の一部が入射する。副傾斜部４２は、当該入射した光を傾斜面４３で反射させて透光体５に入射させる。同様に、もう一方の対向部４１において入光面２９から主傾斜部９に入射した光のうち、主傾斜部９から透光体５に直接入射しなかった光の一部が副傾斜部４２に入射する。副傾斜部４２は、当該入射した光を傾斜面４３で反射させて透光体５に入射させる。
【０１０７】
図１４から図１６に示す例では、副傾斜部４２の表面７からの突出高さは、主傾斜部９の表面７からの突出高さより低い。副傾斜部４２の表面７からの突出高さは、例えば副傾斜部１０の表面７からの突出高さと同じである。副傾斜部４２の表面７からの突出高さは、例えば副傾斜部１１の表面７からの突出高さと同じである。副傾斜部４２と隣接する主傾斜部９との境界に段差が形成される。
【０１０８】
副傾斜部４２のｘ軸方向の幅は、例えば副傾斜部１０のｘ軸方向の幅と同じである。副傾斜部４２のｘ軸方向の幅は、例えば副傾斜部１１のｘ軸方向の幅と同じである。このため、一方の端に配置された対向部４１とこの対向部４１に隣接する副傾斜部１０及び副傾斜部４２とのｘ軸方向の全体の幅は、実施の形態１における透光体６のｘ軸方向の幅Ｗ３と同じである。対向部４１とその対向部４１の両側に配置された２つの副傾斜部４２とのｘ軸方向の全体の幅は、実施の形態１における透光体６のｘ軸方向の幅Ｗ３と同じである。他方の端に配置された対向部４１とこの対向部４１に隣接する副傾斜部４２及び副傾斜部１１とのｘ軸方向の全体の幅は、実施の形態１における透光体６のｘ軸方向の幅Ｗ３と同じである。
【０１０９】
ここで、面光源装置１がＮ個の発光体２を備える例を考える。実施の形態１における透光体６をｘ軸方向にＮ個並べると、その全体の幅は（Ｗ３×Ｎ）となる。一方、本実施の形態に示す例では、透光体６の幅は次式で表される。
Ｗ３×Ｎ−（Ｗ３−Ｗ２）／２×（Ｎ−１）
このように、本実施の形態に示す例であれば、透光体６を小型化することができる。
【０１１０】
実施の形態３．
図１７は、この発明の実施の形態３における透光体６の例を示す平面図である。図１７に示す透光体６は、側面１３及び側面１４が入光面２９に対して垂直ではない点で実施の形態１で開示した透光体６と相違する。透光体６のその他の形状は、実施の形態１で開示した透光体６の形状と同じである。
【０１１１】
図１７に示す例では、側面１３は、入光面２９に垂直な面に対して角度αだけ傾く。側面１３は、＋ｙ方向に向かうに従って傾斜面１５及び傾斜面１６の交線に近づく。同様に、側面１４は、入光面２９に垂直な面に対して角度αだけ傾く。側面１４は、＋ｙ方向に向かうに従って傾斜面１５及び傾斜面１６の交線に近づく。したがって、主傾斜部９のｘ軸方向の幅は、＋ｙ方向に向かうに従って狭くなる。
【０１１２】
上述したように、光が傾斜面１５で反射する回数は１回のみであることが好ましい。光が傾斜面１５で２回目に反射する位置は、１回目に反射する位置より発光体２から離れた位置である。図１７に示す例であれば、図２に示す例と比較して、傾斜面１５のうち発光体２から離れた部分の面積を狭くすることができる。これにより、透光体５への入光効率を高めることができる。同様に、光が傾斜面１６で反射する回数は１回のみであることが好ましい。光が傾斜面１６で２回目に反射する位置は、１回目に反射する位置より発光体２から離れた位置である。図１７に示す例であれば、図２に示す例と比較して、傾斜面１６のうち発光体２から離れた部分の面積を狭くすることができる。これにより、透光体５への入光効率を高めることができる。
【０１１３】
側面１３と入光面２９に垂直な面との角度αが大きいほど、傾斜面１５で反射した後に側面１３を透過する光が多くなる。即ち、光の損失が大きくなる。このため、透光体５及び透光体６の屈折率が１．５であれば、角度αは１０°以下であることが好ましい。透光体５及び透光体６の屈折率が１．７４であれば、角度αは１４°以下であることが好ましい。
【０１１４】
図１７に示すような主傾斜部９を製作する場合は、例えば、１つの円柱状の部材を軸に沿って４分割する。４分割したうちの２つに更に加工を加えてそれらを貼り合わせることにより、主傾斜部９を成形することができる。この時、４分割したものを軸に対して角度αで切断する。その時の切り口は貼り合わされる面でも良いし、側面１３及び側面１４となる面でも良い。
【符号の説明】
【０１１５】
１  面光源装置、  ２  発光体、  ３  導光装置、  ４  固定部材、  ５  透光体（第１透光体）、  ６  透光体（第２透光体）、  ７  表面（第１表面）、  ８  表面、  ９  主傾斜部、  １０  副傾斜部（第１副傾斜部）、  １１  副傾斜部（第２副傾斜部）、  １２  入光部、  １３  側面、  １４  側面、  １５  傾斜面、  １６  傾斜面、  １７  上面、  １８  側面、  １９  下面、  ２０  傾斜面（第３傾斜面）、  ２１  側面、  ２２  下面、  ２３  傾斜面（第４傾斜面）、  ２４  側面、  ２５  下面、  ２６  側面、  ２７  側面、  ２８  上面、  ２９  入光面、  ３０  下面、  ３１  出射手段、  ３２  椀状体、  ３３  下面、  ３４  上面、  ３５  外周面、  ３６  支持板、  ３７  表面、  ３８  表面、  ３９  凸部、  ４０  ホワイト印刷層、  ４１  対向部、  ４２  副傾斜部（第３副傾斜部）、  ４３  傾斜面（第７傾斜面）、  ４４  上面、  ４５  側面、  ４６  下面
【図１】
2018098043.tif 000003
【図２】
2018098043.tif 000004
【図３】
2018098043.tif 000005
【図４】
2018098043.tif 000006
【図５】
2018098043.tif 000007
【図６】
2018098043.tif 000008
【図７】
2018098043.tif 000009
【図８】
2018098043.tif 000010
【図９】
2018098043.tif 000011
【図１０】
2018098043.tif 000012
【図１１】
2018098043.tif 000013
【図１２】
2018098043.tif 000014
【図１３】
2018098043.tif 000015
【図１４】
2018098043.tif 000016
【図１５】
2018098043.tif 000017
【図１６】
2018098043.tif 000018
【図１７】
2018098043.tif 000019